(57)【特許請求の範囲】
【請求項１】
それぞれ矩形状の背板（１１）、底板（１８）、前板（１７）、支持板（１９）、密着板（１５）及び底当板（１４）が天地方向にこの順に相互間に折線を介して連接されており、
前記背板（１１）の天地方向の中間部には、その左右端辺に達しない左右方向の切り込み（ｋ）が設けられており、
前記前板（１７）の天地方向の高さは、前記背板（１１）の下端辺から前記切り込み（ｋ）までの高さよりも低く、
前記支持板（１９）の天地方向の高さは、前記背板（１１）を前記底板（１８）との間の折線（a）で垂直に折り立て、さらに、前記前板（１７）を前記背板（１１）と対向するように前記底板（１８）との間の折線（ｂ）で垂直に折り立てた時の、該前板（１７）の該底板（１８）とは反対側の端辺と、該背板（１１）に設けられた前記切り込み（ｋ）との間の距離にほぼ等しく、
前記支持板（１９）の中央部には窓部（１６）が設けられており、該窓部（１６）の周縁の一部は、該支持板（１９）と前記密着板（１５）との連接部に接しており、
前記密着板（１５）には、前記支持板（１９）との連接部であって該支持板（１９）に設けられた窓部（１６）の周縁の一部と接している箇所に、前記背板（１１）に設けられた前記切り込み（ｋ）の左右幅を超えない左右幅の差込片（１３）が、該支持板（１９）の該窓部（１６）内に向かう方向に、間に折線を介することなく延設されており、
前記密着板（１５）の前記差込片（１３）以外の部分の天地方向の高さは、前記背板（１１）の下端辺から前記切り込み（ｋ）までの高さにほぼ等しく、
前記底当板（１４）の天地方向の高さは、前記底板（１８）の天地方向の高さにほぼ等しく、
以上のように構成されたブランクの、前記背板（１１）を前記底板（１８）との間の折線（ａ）で垂直に折り立て、前記前板（１７）を前記背板（１１）と対向するように前記底板（１８）との間の折線（ｂ）で垂直に折り立て、さらに、前記支持板（１９）、前記密着板（１５）及び前記底当板（１４）を内側へ巻き込む様に折り込んで、該底当板（１４）を前記底板（１８）の内面に、該密着板（１５）を前記背板（１１）の内面に、それぞれ密着させると共に、該密着板（１５）に延設された前記差込片（１３）を前記背板（１１）の前記切り込み（ｋ）に天地方向の下方から上方に向けて挿入することにより、前記背板（１１）に対して傾斜した前記支持板（１９）に設けられた前記窓部（１６）から前記底板（１８）に向けて商品を挿入して収容可能な商品収容部（１２）を形成してなることを特徴とする商品ホルダー。
【請求項２】
それぞれ矩形状の背板（１１）、底板（１８）、前板（１７）、支持板（１９）及び密着板（１５）が天地方向にこの順に相互間に折線を介して連接されており、
前記背板（１１）の天地方向の中間部には、その左右端辺に達しない左右方向の切り込み（ｋ）が設けられており、
前記前板（１７）の天地方向の高さは、前記背板（１１）の下端辺から前記切り込み（ｋ）までの高さよりも低く、
前記支持板（１９）の天地方向の高さは、前記背板（１１）を前記底板（１８）との間の折線（a）で垂直に折り立て、さらに、前記前板（１７）を前記背板（１１）と対向するように前記底板（１８）との間の折線（ｂ）で垂直に折り立てた時の、該前板（１７）の該底板（１８）とは反対側の端辺と、該背板（１１）に設けられた前記切り込み（ｋ）との間の距離にほぼ等しく、
前記支持板（１９）の中央部には窓部（１６）が設けられており、該窓部（１６）の周縁の一部は、該支持板（１９）と前記密着板（１５）との連接部に接しており、
前記密着板（１５）には、前記支持板（１９）との連接部であって該支持板（１９）に設けられた窓部（１６）の周縁の一部と接している箇所に、前記背板（１１）に設けられた前記切り込み（ｋ）の左右幅を超えない左右幅の差込片（１３）が、該支持板（１９）の該窓部（１６）内に向かう方向に、間に折線を介することなく延設されており、
以上のように構成されたブランクの、前記背板（１１）を前記底板（１８）との間の折線（ａ）で垂直に折り立て、前記前板（１７）を前記背板（１１）と対向するように前記底板（１８）との間の折線（ｂ）で垂直に折り立て、前記支持板（１９）を前記前板（１７）との間の折線で前記背板（１１）側へ折り曲げ、前記密着板（１５）を前記支持板（１９）との間の折線で前記背板（１１）から離反する方向に折り曲げ、該密着板（１５）を前記背板（１１）の切り込み（ｋ）から天側の部分に密着させると共に、該密着板（１５）に延設された前記差込片（１３）を該背板（１１）に設けられた切り込み（ｋ）に天地方向の上方から下方に向けて挿入することにより、前記背板（１１）に対して傾斜した前記支持板（１９）に設けられた前記窓部（１６）から前記底板（１８）に向けて商品を挿入して収容可能な商品収容部（１２）を形成してなることを特徴とする商品ホルダー。
【発明の詳細な説明】
【０００１】
【発明の属する技術分野】
本発明は、商品収納部に商品の一部が突出するような窓部を設け、直に商品を見ることができる商品ホルダーに関するものである。
【０００２】
【従来の技術】
従来より、小瓶やチューブ容器等の化粧品等を収納展示する化粧箱に対して、陳列用或いは商品の破損防止のために、或いは化粧箱兼用として箱型や差し込み繋止型の商品ホルダーが数多く知られている。
しかしながら、これらの商品ホルダーのいずれにおいても組み立てが複雑であったり、また箱型になればコスト的に高価なものになる問題点があった。
【０００３】
【発明が解決しようとする課題】
そこで本発明は、上記の問題を解決するためなされたもので、一枚の短冊状の板紙から極めて容易に組み立てることが可能で、また安価に作製ができるので、商品を収納したまま展示或いは簡易包装用として販売することを可能とした商品ホルダーを提供する。
【０００４】
【課題を解決するための手段】
上記目的を達成するために本発明は、それぞれ矩形状の背板（１１）、底板（１８）、前板（１７）、支持板（１９）、密着板（１５）及び底当板（１４）が天地方向にこの順に相互間に折線を介して連接されており、前記背板（１１）の天地方向の中間部には、その左右端辺に達しない左右方向の切り込み（ｋ）が設けられており、前記前板（１７）の天地方向の高さは、前記背板（１１）の下端辺から前記切り込み（ｋ）までの高さよりも低く、前記支持板（１９）の天地方向の高さは、前記背板（１１）を前記底板（１８）との間の折線（a）で垂直に折り立て、さらに、前記前板（１７）を前記背板（１１）と対向するように前記底板（１８）との間の折線（ｂ）で垂直に折り立てた時の、該前板（１７）の該底板（１８）とは反対側の端辺と、該背板（１１）に設けられた前記切り込み（ｋ）との間の距離にほぼ等しく、前記支持板（１９）の中央部には窓部（１６）が設けられており、該窓部（１６）の周縁の一部は、該支持板（１９）と前記密着板（１５）との連接部に接しており、前記密着板（１５）には、前記支持板（１９）との連接部であって該支持板（１９）に設けられた窓部（１６）の周縁の一部と接している箇所に、前記背板（１１）に設けられた前記切り込み（ｋ）の左右幅を超えない左右幅の差込片（１３）が、該支持板（１９）の該窓部（１６）内に向かう方向に、間に折線を介することなく延設されており、前記密着板（１５）の前記差込片（１３）以外の部分の天地方向の高さは、前記背板（１１）の下端辺から前記切り込み（ｋ）までの高さにほぼ等しく、前記底当板（１４）の天地方向の高さは、前記底板（１８）の天地方向の高さにほぼ等しく、以上のように構成されたブランクの、前記背板（１１）を前記底板（１８）との間の折線（ａ）で垂直に折り立て、前記前板（１７）を前記背板（１１）と対向するように前記底板（１８）との間の折線（ｂ）で垂直に折り立て、さらに、前記支持板（１９）、前記密着板（１５）及び前記底当板（１４）を内側へ巻き込む様に折り込んで、該底当板（１４）を前記底板（１８）の内面に、該密着板（１５）を前記背板（１１）の内面に、それぞれ密着させると共に、該密着板（１５）に延設された前記差込片（１３）を前記背板（１１）の前記切り込み（ｋ）に天地方向の下方から上方に向けて挿入することにより、前記背板（１１）に対して傾斜した前記支持板（１９）に設けられた前記窓部（１６）から前記底板（１８）に向けて商品を挿入して収容可能な商品収容部（１２）を形成してなることを特徴とする商品ホルダーである。
【０００５】
また、それぞれ矩形状の背板（１１）、底板（１８）、前板（１７）、支持板（１９）及び密着板（１５）が天地方向にこの順に相互間に折線を介して連接されており、前記背板（１１）の天地方向の中間部には、その左右端辺に達しない左右方向の切り込み（ｋ）が設けられており、前記前板（１７）の天地方向の高さは、前記背板（１１）の下端辺から前記切り込み（ｋ）までの高さよりも低く、前記支持板（１９）の天地方向の高さは、前記背板（１１）を前記底板（１８）との間の折線（a）で垂直に折り立て、さらに、前記前板（１７）を前記背板（１１）と対向するように前記底板（１８）との間の折線（ｂ）で垂直に折り立てた時の、該前板（１７）の該底板（１８）とは反対側の端辺と、該背板（１１）に設けられた前記切り込み（ｋ）との間の距離にほぼ等しく、前記支持板（１９）の中央部には窓部（１６）が設けられており、該窓部（１６）の周縁の一部は、該支持板（１９）と前記密着板（１５）との連接部に接しており、前記密着板（１５）には、前記支持板（１９）との連接部であって該支持板（１９）に設けられた窓部（１６）の周縁の一部と接している箇所に、前記背板（１１）に設けられた前記切り込み（ｋ）の左右幅を超えない左右幅の差込片（１３）が、該支持板（１９）の該窓部（１６）内に向かう方向に、間に折線を介することなく延設されており、以上のように構成されたブランクの、前記背板（１１）を前記底板（１８）との間の折線（ａ）で垂直に折り立て、前記前板（１７）を前記背板（１１）と対向するように前記底板（１８）との間の折線（ｂ）で垂直に折り立て、前記支持板（１９）を前記前板（１７）との間の折線で前記背板（１１）側へ折り曲げ、前記密着板（１５）を前記支持板（１９）との間の折線で前記背板（１１）から離反する方向に折り曲げ、該密着板（１５）を前記背板（１１）の切り込み（ｋ）から天側の部分に密着させると共に、該密着板（１５）に延設された前記差込片（１３）を該背板（１１）に設けられた切り込み（ｋ）に天地方向の上方から下方に向けて挿入することにより、前記背板（１１）に対して傾斜した前記支持板（１９）に設けられた前記窓部（１６）から前記底板（１８）に向けて商品を挿入して収容可能な商品収容部（１２）を形成してなることを特徴とする商品ホルダーである。
【０００７】
【発明の実施の形態】
本発明は、一枚の短冊状の板紙から構成されるもので、背板と複数の折線を有する商品収納部とからなり、この背板には切り込みと底板を設け、またこの商品収納部には前記底板に連続して前板と支持板と密着板と底当板とを設け、前記密着板上部には、背板の切り込みに挿入可能な差込片を設け、前記商品収納部を折り畳むことで外側に商品の一部が突出する窓部を有する商品ホルダーを提供するものである。
【０００８】
【実施例】
以下、本発明の実施の形態を図に基づき詳細に説明する。
図１は、本発明の一実施例における商品ホルダーを示す展開図である。本発明の商品ホルダーは、打ち抜き等により製作された短冊状の板紙を折り畳むことにより構成したもので、先ず、図１に示すように、短冊状の板紙には背板１１と複数の折線を有する商品収納部１２とから構成されるものである。この背板１１には上部より切り込みｋと折線ａを介して底板１８を設け、この底板に連続して商品収納部には折線ｂを介して前板１７と支持板１９と折線ｃを介して密着板１５と折線ｄを介して底当板１４とを連設したものである。また、前記商品収納部の支持板１９内には商品の一部が突出する切り抜きによる窓部１６を設けることにより、支持板は窓部を両側から支える支持枠を形成する。さらに、密着板１５の上部で、かつ窓部１６内の下端に（折線ｃ上の中央部）前記背板の切り込みｋに挿入可能な突出した差込片１３を設けたものである。
【０００９】
この商品ホルダーの組み立ては、底当板１４と密着板１５を折り込みながら巻き込むように背板１１に向かって折り込むことで立体的な商品収納部を形成することで商品ホルダー１０が得られる。なお、この商品ホルダーは店頭に据え置くこともできるが、図に示すように、背板１１の上端に貫通孔ｔを設けることで吊り下げて展示することも可能となる。
【００１０】
＜実施例１＞
図１、２に基づき実施例１を説明する。
商品ホルダー１０の組み立て方の一例を示すもので、先ず、底当板１４を内側に折り曲げ、さらに折線ｃから密着板１５を内側に折り曲げて底当板１４が底板１８上に重ね合わせるとともに、密着板１５を起立させる。この際、密着板先端の差込片１３は起立状態になる。次に、底当板１４と底板１８を重ね合わせたまま折線ａから背板１１方向に折り曲げ密着板１５が背板１１に当接させると同時に、差込片１３を背板に設けた切り込みｋに下方から挿入することで、窓部１６を有する商品収納部を立体的に形成することができる。なお、密着板１５と背板１１を接着させることも可能で、接着することで収納部が強固になり少々重量のある商品であっても収納可能となる。
【００１１】
＜実施例２＞
図１と図３に基づき実施例２を説明する。
商品ホルダー１０の組み立て方の他の例を示すもので、図１に示した底当板１４を省略し、また密着片１５も約半分のスペースにした簡易型の短冊状の板紙として、他は図１のブランクスと同様とする。先ず、前板１７上の折線ｂから背板１１方向に折り曲げると共に、密着板１５を背板１１に当接させる。これにより密着板１５に設けた差込片１３が下方に向かってセットされるので、この差込片を上方から下方に向かって差し込むことで商品収納部１２が立体的に形成され商品ホルダーが得られる。なお、実施例１とは異なり底部は二重になっていないが差込片が上方より下方に向かって差し込まれているので少々の商品の重みで差込片は外れることがなく、簡単に組み立てることができる。
【００１２】
支持板１９は内部に窓を有し、且つ組み立てた時、傾斜するので窓も傾斜し、窓も傾斜し商品を収納した時に、商品の一部が露出するので興味深いホルダーが得られる。
【００１３】
【発明の効果】
本発明は以上の構成であるから、下記に示す如き効果がある。
すなわち、本発明の商品ホルダーは、密着板に設けた差込片を背板の切り込みに差し込むことで立体的な商品収納部を有するホルダーを形成することができるので、極めて容易に、かつ安価に製作することができる。また、一枚の短冊型の板紙から作製することを可能としたもので、極めて簡単に組み立てることができる。さらに、商品収納部に商品の一部を外側に露出可能とした窓部を設けることで、商品を直に見ることが可能となり、高い宣伝効果が得られる等、種々の効果を奏する。
【図面の簡単な説明】
【図１】本発明の一実施例における商品ホルダーを示す展開図である。
【図２】本発明の同実施例を示す、商品ホルダーの斜視図である。
【図３】本発明の他の実施例を示す、商品ホルダーの斜視図である。
【符号の説明】
１０……商品ホルダー
１１……背板
１２……商品収納部
１３……差込片
１４……底当板
１５……密着板
１６……窓部
１７……前板
１８……底板
１９……支持板
ｋ……切り込み
ｔ……貫通孔
ａ，ｂ，ｃ，ｄ……折線
【図１】
0004660923.tif 000002
【図２】
0004660923.tif 000003
【図３】
0004660923.tif 000004